(57)【要約】【課題】  搾乳器用分離式補助装置の提供。【解決手段】  搾乳器、該搾乳器に設けられた調節機構、該調節機構に接続された伝送管、及び該伝送管に接続された吸気機構で構成され、該吸気機構起動後に、搾乳器及び調節機構により乳房に対する搾乳動作を行ない、搾乳過程で、乳房に不快感を感じる時、調節機構を押し下げて乳房と搾乳器間の吸力を減らし、搾乳過程での不快な感覚を解消できる。【選択図】        図１
0003102400.tif 000002
【実用新案登録請求の範囲】
【請求項１】
搾乳器で産婦の乳房より搾乳するのを補助する搾乳器用分離式補助装置において、該搾乳器用分離式補助装置は、調節機構、伝送管、吸気機構を具え、
該調節機構は搾乳器に設けられ、ケースを具え、該ケースの内部に管道があり、該内部に該管道と連通する収容空間があり、この収容空間内部に弾性手段、ピストン、シール手段が順に設けられ、該シール手段にキャップが組み合わされ、該キャップの内部に外部と収容空間に連通する調節孔と作動孔が設けられ、該作動孔にロッドが配置され、このロッドにプッシュキーが配置され、
該伝送管は上述の管道に接続され、
該吸気機構は上述の伝送管の別端に接続され、一端に少なくとも一つの入口が設けられて伝送管の別端に接続され、
上述の吸気機構が起動後に、搾乳器と調節機構により乳房に対する搾乳を行ない搾乳過程で、乳房に不快感を感じる時、調節機構を押して乳房と搾乳器間の吸力を弱めて産婦の搾乳過程での不快感を緩和できることを特徴とする、搾乳器用分離式補助装置。
【請求項２】
請求項１記載の搾乳器用分離式補助装置において、上記管道の一端に入口が、別端に出口が設けられたことを特徴とする、搾乳器用分離式補助装置。
【請求項３】
請求項１記載の搾乳器用分離式補助装置において、上記キャップに収容空間内部に組み付けられる接合部が設けられたことを特徴とする、搾乳器用分離式補助装置。
【請求項４】
請求項１記載の搾乳器用分離式補助装置において、上記弾性手段がスプリング、板バネ、ゴムのいずれかとされたことを特徴とする、搾乳器用分離式補助装置。
【請求項５】
請求項１記載の搾乳器用分離式補助装置において、上記シール手段がゴムで形成されたことを特徴とする、搾乳器用分離式補助装置。
【請求項６】
請求項１記載の搾乳器用分離式補助装置において、上記吸気機構内部に空気室が設けられ、該空気室の一端に入口が設けられ、この空気室の入口に伝送管が接続され、別端に空気室と連通する第１チャネルが設けられ、この第１チャネルの側辺に送出孔が設けられ、第１チャネルの一端に該第１チャネルと未連通の第２チャネルが接続され、この第２チャネルに導入孔と排気孔が設けられたことを特徴とする、搾乳器用分離式補助装置。
【請求項７】
請求項６記載の搾乳器用分離式補助装置において、上記空気室の外部にロッド体が固定され、このロッド体に気嚢室が設けられ、該気嚢室が第１チャネルと第２チャネルの送出孔と導入孔を被覆し、ロッド体の別端に被駆動手段が設けられ、この被駆動手段に対応する位置に駆動手段が設けられたことを特徴とする、搾乳器用分離式補助装置。
【請求項８】
請求項７記載の搾乳器用分離式補助装置において、上記被駆動手段が磁石で構成されたことを特徴とする、搾乳器用分離式補助装置。
【請求項９】
請求項７記載の搾乳器用分離式補助装置において、上記駆動手段がけい素鋼板とコイルで構成されたことを特徴とする、搾乳器用分離式補助装置。
【請求項１０】
請求項１記載の搾乳器用分離式補助装置において、上記吸気機構に調節ボタンが設けられ、該調節ボタンが吸気機構内部回路の電流の大きさを調整して吸気機構の吸力の大きさを調整するのに供されることを特徴とする、搾乳器用分離式補助装置。
【考案の詳細な説明】
【技術分野】
【０００１】
本考案は搾乳器用分離式補助装置に係り、特に、搾乳器と分離して収納したり外出時に携帯して使用できるほか、搾乳過程中の吸力の大きさを調節できる補助装置に関する。
【背景技術】
【０００２】
周知のとおり、新生児に母乳を与えることで新生児の抵抗力を高めて感冒や病気を予防することができる。しかし、新生児が乳房に吸いついて乳を飲むことができなかったり、或いは乳房が張る時には母乳が浪費されるため、搾乳器で母乳を吸い出して哺乳瓶に保存し、授乳時間になった時に乳児に与え方法がよく採られる。
【０００３】
周知の搾乳器には蓋があり、この蓋に母乳を収集する容器が接合され、この蓋に乳房を被覆するカップが設けられ、且つ蓋の別端に排気用の排気口が設けられ、並びに排気口に気嚢が接続され、カップで乳房を覆った後に、気嚢を圧縮して、カップに吸引力を発生させ、乳房より母乳を吸い出す。吸い出した後の母乳は容器内に流入する。このような搾乳器は手動で気嚢を圧縮するために疲れ、且つ搾乳時間は長く、且つ気嚢が直接搾乳器に接続されて分離不能であるため、使用者が収納したり携帯するのに不便である。
【０００４】
また別の搾乳器は蓋にポンプが増設され、ポンプ起動時にカップに吸力を発生させて乳房内の母乳を吸い出し、吸い出した母乳を容器内に流入させる。このような搾乳器は簡単に搾乳できるが、ポンプの吸い込み力は強くなく、このため搾乳時間が長くかかり、且つ自動搾乳の吸力を調整しにくく、搾乳過程で母親が不快感を感じやすく、且つポンプが直接搾乳器の蓋に設けられているため搾乳器自身の重量が大きくなり、操作に不便となる。
【考案の開示】
【考案が解決しようとする課題】
【０００５】
本考案の主要な目的は、従来の技術の欠点を解決し、欠点の存在を無くすことにあり、即ち、本考案は、分離でき、収納や外出時に携帯して使用するのに便利であるほか、搾乳の吸力を調節でき、短時間内に搾乳動作を終えることのできる搾乳器用分離式補助装置を提供することにある。
【課題を解決するための手段】
【０００６】
請求項１の考案は、搾乳器で産婦の乳房より搾乳するのを補助する搾乳器用分離式補助装置において、該搾乳器用分離式補助装置は、調節機構、伝送管、吸気機構を具え、
該調節機構は搾乳器に設けられ、ケースを具え、該ケースの内部に管道があり、該内部に該管道と連通する収容空間があり、この収容空間内部に弾性手段、ピストン、シール手段が順に設けられ、該シール手段にキャップが組み合わされ、該キャップの内部に外部と収容空間に連通する調節孔と作動孔が設けられ、該作動孔にロッドが配置され、このロッドにプッシュキーが配置され、
該伝送管は上述の管道に接続され、
該吸気機構は上述の伝送管の別端に接続され、一端に少なくとも一つの入口が設けられて伝送管の別端に接続され、
上述の吸気機構が起動後に、搾乳器と調節機構により乳房に対する搾乳を行ない搾乳過程で、乳房に不快感を感じる時、調節機構を押して乳房と搾乳器間の吸力を弱めて産婦の搾乳過程での不快感を緩和できることを特徴とする、搾乳器用分離式補助装置としている。
請求項２の考案は、請求項１記載の搾乳器用分離式補助装置において、上記管道の一端に入口が、別端に出口が設けられたことを特徴とする、搾乳器用分離式補助装置としている。
請求項３の考案は、請求項１記載の搾乳器用分離式補助装置において、上記キャップに収容空間内部に組み付けられる接合部が設けられたことを特徴とする、搾乳器用分離式補助装置としている。
請求項４の考案は、請求項１記載の搾乳器用分離式補助装置において、上記弾性手段がスプリング、板バネ、ゴムのいずれかとされたことを特徴とする、搾乳器用分離式補助装置としている。
請求項５の考案は、請求項１記載の搾乳器用分離式補助装置において、上記シール手段がゴムで形成されたことを特徴とする、搾乳器用分離式補助装置としている。
請求項６の考案は、請求項１記載の搾乳器用分離式補助装置において、上記吸気機構内部に空気室が設けられ、該空気室の一端に入口が設けられ、この空気室の入口に伝送管が接続され、別端に空気室と連通する第１チャネルが設けられ、この第１チャネルの側辺に送出孔が設けられ、第１チャネルの一端に該第１チャネルと未連通の第２チャネルが接続され、この第２チャネルに導入孔と排気孔が設けられたことを特徴とする、搾乳器用分離式補助装置としている。
請求項７の考案は、請求項６記載の搾乳器用分離式補助装置において、上記空気室の外部にロッド体が固定され、このロッド体に気嚢室が設けられ、該気嚢室が第１チャネルと第２チャネルの送出孔と導入孔を被覆し、ロッド体の別端に被駆動手段が設けられ、この被駆動手段に対応する位置に駆動手段が設けられたことを特徴とする、搾乳器用分離式補助装置としている。
請求項８の考案は、請求項７記載の搾乳器用分離式補助装置において、上記被駆動手段が磁石で構成されたことを特徴とする、搾乳器用分離式補助装置としている。
請求項９の考案は、請求項７記載の搾乳器用分離式補助装置において、上記駆動手段がけい素鋼板とコイルで構成されたことを特徴とする、搾乳器用分離式補助装置としている。
請求項１０の考案は、請求項１記載の搾乳器用分離式補助装置において、上記吸気機構に調節ボタンが設けられ、該調節ボタンが吸気機構内部回路の電流の大きさを調整して吸気機構の吸力の大きさを調整するのに供されることを特徴とする、搾乳器用分離式補助装置としている。
【考案の効果】
【０００７】
本考案は、従来の技術の欠点を解決し、欠点の存在を無くしており、本考案は、分離でき、収納や外出時に携帯して使用するのに便利であるほか、搾乳の吸力を調節でき、短時間内に搾乳動作を終えることのできる搾乳器用分離式補助装置を提供している。
【考案を実施するための最良の形態】
【０００８】
図１、２、５は本考案の搾乳器と補助装置の接続及び調節機構の分解図である。図示されるように、本考案の搾乳器用分離式補助装置は、搾乳器１、該搾乳器１に設けられた調節機構２、該調節機構２に接続された伝送管３３、及び該伝送管３３に接続された吸気機構３で構成され、該搾乳器１は産婦の乳房に被せられ、並びに該吸気機構３が起動され、吸気機構３が吸気を行なう時、産婦の乳房に対して搾乳を行ない、且つ搾乳過程で、吸気機構３の発生する吸力が産婦に不快感をもたらす時は、調節機構２を利用して吸力調節動作を行なうか、或いは吸気機構３の調整ボタン３０１を調整し、吸気の大きさを調整し、搾乳過程を快適とし、乳房の大きさの異なる産婦の使用に適合する。
【０００９】
上述の搾乳器１は、蓋１１を具え、該蓋１１に母乳を収集する容器１２が接合され、該蓋１１に乳房に装着されるカップ１３が設けられている。
【００１０】
該調節機構２は、上記蓋１１に配置され、それはケース２１を具え、該ケース２１の内部に管道２１１が設けられ、該管道２１１の一端に入口２１２が、別端に、伝送管３３に接続される出口２１３が設けられている。該ケース２１の内部に、前述の管道２１１と連通する収容空間２１４が設けられ、この収容空間２１４内部にバネ、バネ片、ゴムのいずれかで構成された弾性手段２２が配置されている。該弾性手段２２の上にピストン２３が配置され、該ピストン２３にゴムで形成されたシール手段２４が配置され、該シール手段２４の上にキャップ２５が配置され、該キャップ２５に収容空間２１４内部に組み付けられる接合部２５１が設けられている。キャップ２５の内部に外部及び収容空間２１４と連通する調節孔２５２と作動孔２５３が設けられ、該作動孔２５３にロッド２６１が配置され、該ロッド２６１にプッシュキー２６が配置されている。
【００１１】
該吸気機構３は、その内部に空気室３１を具え、この空気室３１の一端に少なくとも一つの入口３２が設けられ、この入口３２が伝送管３３と接続され、別端に空気室３１と連通する第１チャネル３４が設けられ、この第１チャネル３４の側辺に送出孔３４１が設けられ、第１チャネル３４の一端に第１チャネル３４と未連通の第２チャネル３５が接続され、この第２チャネル３５に導入孔３５１と排気孔３５２が設けられている。前述の空気室３１の外部にロッド体３６が設けられ、該ロッド体３６の適当な位置にゴムで形成された気嚢室３７が設けられ、この気嚢室３７が第１チャネル３４と第２チャネル３５の送出孔３４１及び導入孔３５１を共に被覆し、ロッド体３６の別端に磁石で形成された被駆動手段３８が設けられ、この被駆動手段３８に対応する位置に駆動手段３９が設けられ、この空気室３１はけい素鋼板３９１とコイル３９２で構成されて、磁場を発生して被駆動手段３８を駆動してロッド体３６を駆動して、気嚢室３７に第１チャネル３４、第２チャネル３５の送出孔３４１と導入孔３５１上で圧縮状態を形成させ、このとき、空気は空気室３１の入口３２より進入し、搾乳作用を達成する。別に、吸気機構３に調節ボタン３０１が設けられて吸気機構３内部の回路の電流の大きさを調整するのに供され、これにより吸気機構３の吸力の大きさが調整され、乳房のサイズの異なる産婦の使用に適用され、最短時間内に母乳を吸い出すことができる。
【００１２】
図１、３、４を参照されたい。使用時には、まず、伝送管３３の一端を調節機構２の出口２１３に接続し、伝送管３３の別端を吸気機構３の入口３２に接続し、さらに搾乳器１のカップ１３を乳房に装着した後、吸気機構３を起動すると、吸気機構３が即刻吸気状態を発生する。乳房内部の母乳は吸い出された後に搾乳器１の容器１２中に流入し、気体は調節機構２の管道２１１の入口２１２より進入した後、出口２１３より伝送管３３を通り吸気機構３内部に至った後、排出される。
【００１３】
搾乳過程中に、妊婦が吸力が強過ぎて不快感を感じる時は、調節機構２のプッシュキー２６を押せば、ロッド２６１がピストン２３を押し開き、外部空気がキャップ２５の調節孔２５２より収容空間２１４中に進入し、乳房とカップ１３の間の吸力を弱め、産婦の搾乳過程での不快感を緩和する。
【００１４】
乳房サイズが比較的大きい、或いは小さい時、或いは母乳が比較的多い産婦であれば、吸気機構３の調節ボタン３０１を回して、吸気機構３の吸力の大きさを調整することで、短時間内に搾乳を行なうことができる。
【００１５】
さらに、搾乳器１を不使用の時は、伝送管３３と調節機構２及び吸気機構３を分離すれば、収納或いは携帯に便利である。
【００１６】
さらに、吸気機構３に複数の入口３２を増設可能で、これにより産婦が二つの乳房より同時に搾乳でき、或いは二組以上の搾乳器１で二人以上の産婦が同時に使用することができる。
【図面の簡単な説明】
【００１７】
【図１】本考案の搾乳器と補助装置の接続表示図である。
【図２】本考案の調節機構の分解図である。
【図３】図２の組合せ側面断面図である。
【図４】図３の調節機構の押圧動作図である。
【図５】図３の吸気機構内部表示図である。
【符号の説明】
【００１８】
１  搾乳器
２  調節機構
３  吸気機構
３３  伝送管
３０１  調整ボタン
１１  蓋
１２  容器
１３  カップ
２１  ケース
２１１  管道
２１２  入口
２１３  出口
２１４  収容空間
２２  弾性手段
２３  ピストン
２４  シール手段
２５  キャップ
２５１  接合部
２５２  調節孔
２５３  作動孔
２６１  ロッド
２６  プッシュキー
３１  空気室
３２  入口
３４  第１チャネル
３４１  送出孔
３５  第２チャネル
３５１  導入孔
３５２  排気孔
３６  ロッド体
３７  気嚢室
３８  被駆動手段
３９  駆動手段
３９１  けい素鋼板
３９２  コイル
【図１】
0003102400.tif 000003
【図２】
0003102400.tif 000004
【図３】
0003102400.tif 000005
【図４】
0003102400.tif 000006
【図５】
0003102400.tif 000007